(57)【要約】【課題】  第１の表示部を備えた第１の表示画面の上に、第２の表示画面を備えた第２の表示画面を表示する際に、第１の表示部及び第２の表示部双方を確認する。【解決手段】  詳細設定部７６がＯＮされた場合には、詳細設定ボタン７６以外の項目の、名称表示エリア７０Ａ〜７４Ａ、及び小表示エリア７０Ｂ〜７４Ｂを、詳細設定画面Ｇ２の予定領域以外の領域に移動させて表示し、詳細設定画面Ｇ２を表示する。詳細設定画面Ｇ２には、スキャンの処理の詳細を設定する複数の項目の名称を表示する名称表示エリア８０Ａ〜８６Ａと、各名称表示エリア８０Ａ〜８６Ａに対応する情報を表示する小表示エリア８０Ｂ〜８６Ｂが設けられている。【選択図】        図６
2006178781.tif 000002
【特許請求の範囲】
【請求項１】
第１の表示画面上に複数の第１の表示部を表示する表示手段と、
前記表示手段の前記第１の表示画面上に表示された第１の表示部に対する操作を検知する検知手段と、
前記検知手段により前記複数の第１の表示部の内の１つの表示部が操作されたことが検知された場合、前記第１の表示画面上に、複数の第２の表示部を備えた第２の表示画面を表示しかつ前記複数の第１の表示部と該複数の第２の表示部とが重ならないように前記表示手段を制御する制御手段と
を備えた表示装置。
【請求項２】
前記制御手段は、前記第１の表示画面における前記第２の表示画面の領域以外の領域に、前記第１の表示部を移動させて表示するように前記表示手段を制御することを特徴とする請求項１記載の表示装置。
【請求項３】
前記制御手段は、複数の第１の表示部の内の少なくとも１つの表示部に重なると共に該第１の表示部が認識可能に前記第２の表示画面を表示し、該第２の表示画面における該第１の表示部の領域以外の領域に、前記複数の第２の表示部を表示するように前記表示手段を制御することを特徴とする請求項１又は請求項２記載の表示装置。
【請求項４】
前記表示装置は、所定の処理を実行する処理実行装置に備えられ、
前記所定の処理の内容を指示する複数種類の情報を入力する入力部を備え、
前記複数の第１の表示部の少なくとも１つは、前記入力部により入力された前記情報を表示する、
ことを特徴とする請求項１乃至請求項３の何れか１項に記載の表示装置。
【発明の詳細な説明】
【技術分野】
【０００１】
本発明は、表示装置にかかり、より詳細には、第１の表示画面における１つの表示部の操作に応じて、該第１の表示画面上に、複数の第２の表示部を備えた第２の表示画面を表示する表示装置に関する。
【背景技術】
【０００２】
従来、スキャン、コピー等の機能を備えたデジタル複合機が提案されている。このようなデジタル複合機の各処理内容を設定する表示パネルでは、基本となる複数の設定項目のための複数の表示部を備えた基本設定画面を表示している。このとき、更に詳細な設定をするため、上記基本設定画面の上に、詳細設定画面を重ねて表示するようにしている。
【０００３】
このように、詳細設定画面を基本設定画面の上に重ねて表示しているので、元の基本設定画面の内容が分からなくなる。そこで、特許文献１の装置では、詳細設定画面の下の基本設定画面における設定項目のための表示部が表示されている場合、この表示されている表示部がタッチされると、詳細設定画面の上に別の詳細設定画面を重ねて表示するようにしている。
【特許文献１】特開2002-40880公報
【発明の開示】
【発明が解決しようとする課題】
【０００４】
しかし、詳細設定画面の上に別の詳細設定画面を表示しても、元の基本設定画面の内容が分からないことには変わりがない。
【０００５】
本発明は上記事実に鑑み成されたもので、第１の表示部を備えた第１の表示画面の上に、第２の表示画面を備えた第２の表示画面を表示する際に、第１の表示部及び第２の表示部双方を確認することの可能な表示装置を提供することを目的とする。
【課題を解決するための手段】
【０００６】
上記目的を達成するために請求項１に記載の発明は、第１の表示画面上に複数の第１の表示部を表示する表示手段と、前記表示手段の前記第１の表示画面上に表示された第１の表示部に対する操作を検知する検知手段と、前記検知手段により前記複数の第１の表示部の内の１つの表示部が操作されたことが検知された場合、前記第１の表示画面上に、複数の第２の表示部を備えた第２の表示画面を表示しかつ前記複数の第１の表示部と該複数の第２の表示部とが重ならないように前記表示手段を制御する制御手段と、を備えている。
【０００７】
本発明の表示手段は、第１の表示画面上に複数の第１の表示部を表示する。
【０００８】
検知手段は、表示手段の第１の表示画面上に表示された第１の表示部に対する操作を検知する。
【０００９】
制御手段は、検知手段により複数の第１の表示部の内の１つの表示部が操作されたことが検知された場合、第１の表示画面上に、複数の第２の表示部を備えた第２の表示画面を表示しかつ複数の第１の表示部と複数の第２の表示部とが重ならないように表示手段を制御する。
【００１０】
ここで、制御手段は、請求項２のように、第１の表示画面における第２の表示画面の領域以外の領域に、第１の表示部を移動させて表示するように表示手段を制御したり、請求項３のように、複数の第１の表示部の内の少なくとも１つの表示部に重なると共に該第１の表示部が認識可能に第２の表示画面を表示し、該第２の表示画面における該第１の表示部の領域以外の領域に、複数の第２の表示部を表示するように表示手段を制御したり、することにより、複数の第１の表示部と該複数の第２の表示部とが重ならないようにしている。
【００１１】
このように、第１の表示画面における１つの表示部の操作に応じて、該第１の表示画面上に、複数の第２の表示部を備えた第２の表示画面を表示しかつ複数の第１の表示部と該複数の第２の表示部とが重ならないように表示しているので、第１の表示部及び第２の表示部双方を確認することができる。
【００１２】
なお、上記表示装置は、請求項４のように、所定の処理を実行する処理実行装置に備えられ、前記所定の処理の内容を指示する複数種類の情報を入力する入力部を備え、前記複数の第１の表示部の少なくとも１つは、前記入力部により入力された前記情報を表示するようにしてもよい。
【発明の効果】
【００１３】
以上説明したように本発明によれば、第１の表示画面における１つの表示部の操作に応じて、該第１の表示画面上に、複数の第２の表示部を備えた第２の表示画面を表示しかつ複数の第１の表示部と該複数の第２の表示部とが重ならないように表示しているので、第１の表示部及び第２の表示部双方を確認することができる、という効果がある。
【発明を実施するための最良の形態】
【００１４】
以下、図面を参照して本発明の実施の形態の一例を詳細に説明する。
【００１５】
図１に示すように、本実施の形態に係る操作表示装置は、図示しないデジタル複合機に接続されている。操作表示装置は、デジタル複合機に対して、複数の処理、例えば、スキャン機能、コピー機能、スキャン及びＥメール機能、及び、スキャン及びファックス機能のそれぞれの処理の内容を指示するための情報を入力するための複数の入力部としてのテンキー１２、及び宛先指定パネル（フリップカード）２２等を備えている。
【００１６】
なお、操作表示装置は、この他に、クリアーキー１４、ヘルプキー１６、ストップキー１８、スタートキー２０を備えている。また、操作表示装置は、テンキー１２や宛先指定パネル２２により指定された情報を表示する表示手段としての、タッチパネル式の表示部１０を備えている。
【００１７】
図２に示すように、本実施の形態に係る操作表示装置の制御系は、前述したテンキー１２や宛先指定パネル２２からのデータを入力し、表示部１０を制御する制御部２８を備えている。具体的には、制御部２８は、表示部１０を制御する表示制御部を介して制御する。なお、表示部１０の表示エリアをカバーするように、表示部１０の接触を検知する検知手段としてのタッチパネル２４が設けられている。
【００１８】
次に、本実施の形態の作用を説明する。図１に示すように、操作表示設定装置の初期画面において、図４に示すように、例えば、スキャンの表示エリア６６がタッチされると、図５に示すように、スキャンの処理内容を設定するための処理内容設定画面に切り替わる。
【００１９】
スキャンの処理内容設定画面Ｇ１（第１の表示画面）では、図５に示すように、スキャンの処理内容を指定するための複数種類の情報各々の名称を表示する名称表示エリア７０Ａ〜７４Ａ等を表示している。例えば、原稿種類を表示する表示エリア７０Ａ、原稿サイズを表示する表示エリア７２Ａ、印刷用紙を表示する表示エリア７４Ａ等がある。また、処理内容設定画面には、各名称表示エリア７０Ａ〜７４Ｂに対応して、各々の名称に対応する情報を表示する小表示エリア７０Ｂ〜７４Ｂを備えている。小表示エリア７０Ａは、原稿種類として入力された情報を表示し、小表示エリア７２Ａは、原稿サイズとして入力された情報を表示し、小表示エリア７４Ａは、印刷用紙として入力された情報を表示する。
【００２０】
また、スキャンの処理内容設定画面Ｇ１は、詳細設定画面を表示するための詳細設定部７６が設けられている。
【００２１】
図３には、上記のように処理内容設定画面が表示されたときスタートする処理内容設定プログラムが示されている。本プログラムがスタートすると、ステップ１０２で、詳細設定部７６がＯＮされたか否かを判断し、ＯＮされていないと判断された場合には、ステップ１１０で、スタートキー２０がＯＮとなったか否かをを判断し、スタートキー２０がＯＮとなっていないと判断された場合には、ステップ１１４で、ストップキー１８がＯＮされたか否かを判断する。ストップキー１８がＯＮされていないと判断された場合には、ステップ１０２に戻る。
【００２２】
図５に示すように、詳細設定部７６がＯＮされた場合には、ステップ１０４で、詳細設定部７６以外の項目を、処理内容設定画面Ｇ１における詳細設定画面Ｇ２（第２の画面）の予定表示領域以外に移動して配置する。即ち、図６に示すように、詳細設定ボタン７６以外の項目として、名称表示エリア７０Ａ〜７４Ａ、及び小表示エリア７０Ｂ〜７４Ｂを、詳細設定画面Ｇ２の予定領域以外の領域に移動させて表示する。
【００２３】
ステップ１０６で、詳細設定画面Ｇ２（第２の表示画面）を表示する。ステップ１０８で、詳細設定処理を実行する。即ち、詳細設定画面Ｇ２には、スキャンの処理の詳細を設定する複数の項目の名称を表示する名称表示エリア８０Ａ〜８６Ａと、各名称表示エリア８０Ａ〜８６Ａに対応する情報を表示する小表示エリア８０Ｂ〜８６Ｂが設けられている。名称表示エリア８０Ａ〜８６Ａには、イメージ補正、ノイズ除去、文字認識、及び文書変換の各名称が表示され、小表示エリア８０Ｂ〜８６Ｂは、各名称表示エリアに対応する情報、イメージ補正をするかしないかの情報を表示し、ノイズ除去をするかしないかの情報を表示し、文字認識をするかしないかの情報を表示し、文書変換をするかしないかの表示をする。
【００２４】
なお、処理内容設定画面Ｇ１における各基本処理設定項目、原稿種類や、原稿サイズや、印刷用紙は、図示しないソフトキーボードや、外付けのキーボードを介して入力して設定する。
【００２５】
スタートキー２０がＯＮされた場合には、ステップ１１０が肯定判定され、ステップ１１２で、入力部により入力された処理内容を指定するデータを、デジタル複合機本体に送信することにより処理実行を指示する。なお、ストップキー１８がＯＮされた場合（ステップ１１４Ｙ）には、本プログラムを終了する。
【００２６】
以上説明したように、本実施の形態では、処理内容設定画面における各名称表示エリア及び小表示エリアを、詳細設定画面の領域以外の領域に移動して配置し、詳細設定画面には、当該詳細設定項目としての各名称表示エリアとしての小表示エリアを表示するので、処理内容設定画面における各項目と、詳細設定画面における各項目とが重ならないように表示することができ、双方を確認することができる。
【００２７】
以上説明した実施の形態では、処理内容設定画面Ｇ１における各項目を、詳細設定画面Ｇ２の領域以外の領域に移動して配置しているが、本発明はこれに限定されるものでなく、図７に示すように、処理内容設定画面Ｇ１における各項目の配置位置はそのままにし又は若干移動し、詳細設定画面Ｇ２を半透明に表示し、かつ、詳細設定画面Ｇ２が重ねられた処理内容設定画面Ｇ１の項目と、詳細設定画面Ｇ２の項目とが重ならない位置に表示するようにしてもよい。この場合も、処理内容設定画面Ｇ１の各項目と、詳細設定画面Ｇ２の各項目とが重ならないように表示することができ、双方を確認することができる。
【図面の簡単な説明】
【００２８】
【図１】操作表示設定装置の初期画面を示す図である。
【図２】操作表示設定装置のブロック図である。
【図３】処理内容設定プログラムを示すフローチャートである。
【図４】スキャンの表示エリアが選択された様子を示す図である。
【図５】処理内容設定画面が表示された様子を示す図である。
【図６】処理内容設定画面の上に詳細設定画面が表示された様子を示す図である。
【図７】変形例に係る処理内容設定画面に上に詳細設定画面を表示した様子を示す図である。
【符号の説明】
【００２９】
Ｇ１            処理内容設定画面（第１の画面）
Ｇ２            詳細設定画面（第２の画面）
７０Ａ〜７４Ａ  名称表示エリア（第１の表示部）
７０Ｂ〜７４Ｂ  小表示エリア（第１の表示部）
８０Ａ〜８６Ａ  名称表示エリア（第２の表示部）
８０Ｂ〜８６Ｂ  小表示エリア（第２の表示部）
２４            タッチパネル（検知手段）
２８              制御部（制御手段）
１２              テンキー（入力手段）
【図１】
2006178781.tif 000003
【図２】
2006178781.tif 000004
【図３】
2006178781.tif 000005
【図４】
2006178781.tif 000006
【図５】
2006178781.tif 000007
【図６】
2006178781.tif 000008
【図７】
2006178781.tif 000009